(57)【要約】【課題】できるだけ小さい規模で、画像にかかわらず、複数の画像が合成された合成画像の画質を向上させる画像処理装置等を提供する。【解決手段】画像処理装置は、画像データに対して所与の画像処理を行う画像処理部と、第１の画像データ及び第２の画像データを用いて画像の合成処理を行う画像合成部とを含み、前記画像処理部は、前記第１の画像データに対する前記画像処理後のデータと前記第２の画像データとを用いた前記合成処理後の合成処理データ、又は前記第１の画像データと前記第２の画像データとを用いた前記合成処理後のデータに対する画像処理後の画像処理データを切り替え出力可能に構成される。【選択図】図２
2011048046.tif 000002
【特許請求の範囲】
【請求項１】
画像データに対して所与の画像処理を行う画像処理部と、
第１の画像データ及び第２の画像データを用いて画像の合成処理を行う画像合成部とを含み、
前記画像処理部は、
前記第１の画像データに対する前記画像処理後のデータと前記第２の画像データとを用いた前記合成処理後の合成処理データ、又は前記第１の画像データと前記第２の画像データとを用いた前記合成処理後のデータに対する画像処理後の画像処理データを切り替え出力可能に構成されることを特徴とする画像処理装置。
【請求項２】
請求項１において、
前記画像処理部は、
前記画像合成部の入力側の１つ、又は前記画像合成部の出力側のいずれかの位置に切り替え挿入可能に構成されることを特徴とする画像処理装置。
【請求項３】
請求項１又は２において、
前記合成処理データ又は前記画像処理データを、前記画像処理装置が出力する画像データに対応した垂直同期信号に同期して切り替え出力可能に構成されることを特徴とする画像処理装置。
【請求項４】
請求項３において、
前記画像処理装置の制御データが設定される第１の制御レジスターと、
前記第１の制御レジスターに設定される制御データが、前記垂直同期信号に同期して設定される第２の制御レジスターと、
前記第２の制御レジスターに設定される制御データをデコードして前記画像処理装置を制御するデコーダーとを含み、
前記デコーダーが出力する制御信号に基づいて、前記合成処理データ又は前記画像処理データを切り替えて出力することを特徴とする画像処理装置。
【請求項５】
請求項１乃至４のいずれかにおいて、
第１の切り替え制御信号に基づいて、前記第１の画像データに対する前記画像処理後のデータ、又は前記第１の画像データを所与の遅延量だけ遅延させた第１の遅延データを前記画像合成部に出力する第１の選択回路と、
第２の切り替え制御信号に基づいて、前記第２の画像データに対する前記画像処理後のデータ、又は前記第２の画像データを前記遅延量だけ遅延させた第２の遅延データを前記画像合成部に出力する第２の選択回路と、
第３の切り替え制御信号に基づいて、前記画像合成部の出力に対する前記画像処理後のデータ、又は前記画像合成部の出力を前記遅延量だけ遅延させた第３の遅延データを出力する第３の選択回路とを含み、
前記第１の切り替え制御信号、前記第２の切り替え制御信号及び前記第３の切り替え制御信号が互いに同期して変化することを特徴とする画像処理装置。
【請求項６】
請求項５において、
前記遅延量が、
前記画像処理部の遅延量となるように設定されていることを特徴とする画像処理装置。
【請求項７】
請求項１乃至６のいずれか記載の画像処理装置と、
前記画像処理装置によって供給された画像データに基づいて、画像表示を行う画像表示装置とを含むことを特徴とする画像表示システム。
【請求項８】
請求項７において、
前記画像処理装置に制御データを設定して前記画像処理装置を制御するホスト装置を含むことを特徴とする画像表示システム。
【請求項９】
請求項１乃至６のいずれか記載の画像処理装置を含むことを特徴とする電子機器。
【請求項１０】
画像データに対して所与の画像処理を行う画像処理ステップと、
第１の画像データ及び第２の画像データを用いて画像の合成処理を行う画像合成ステップとを含み、
前記画像処理ステップは、
前記第１の画像データに対する前記画像処理後のデータと前記第２の画像データとを用いた前記合成処理後の合成処理データ、又は前記第１の画像データと前記第２の画像データとを用いた前記合成処理後のデータに対する画像処理後の画像処理データを切り替えて出力することを特徴とする画像処理方法。
【請求項１１】
請求項１０において、
前記合成処理データ又は前記画像処理データを、前記画像処理装置が出力する画像データに対応した垂直同期信号に同期して切り替えて出力することを特徴とする画像処理方法。
【発明の詳細な説明】
【技術分野】
【０００１】
本発明は、画像処理装置、画像表示システム、電子機器及び画像処理方法等に関する。
【背景技術】
【０００２】
近年、液晶表示装置や有機ＥＬ（Electro Luminescence）表示装置に代表される画像表示装置が表示する画像の高精細化が進み、オリジナルの画像データをそのまま適用しただけでは、高画質化の効果を十分得られない場合がある。その場合、この画像データに対して視環境に応じた画像処理を行うことで、より一層の高画質化が可能となる。その一方、このような画像表示装置が適用された電子機器においても、画面サイズの拡大等によって表示すべき画像のサイズや種類を多くして、表示すべき情報量が多くなっている。このため、画像表示装置に対して画像データを供給する画像処理装置は、表示すべき画像に対応した画像データに対して画像処理を行ったり、複数の画像の合成処理を行ったりする。
【０００３】
このような画像処理装置における画像処理及び合成処理については、種々提案されている。例えば特許文献１には、複数の画像信号に対して画像信号毎に色空間の補正を行う色空間補正回路が設けられ、画像合成回路により各色空間補正回路の出力がそれぞれ主画面と副画面となるように１枚に画像に合成する処理を行うようにした画像出力装置が開示されている。
【先行技術文献】
【特許文献】
【０００４】
【特許文献１】特開２００６−８６７２８号公報
【発明の概要】
【発明が解決しようとする課題】
【０００５】
しかしながら、特許文献１に開示された技術では、画像信号毎に同じ構成を有する色空間補正回路を設ける必要があり、回路規模の増大を招くという問題がある。また、この特許文献１では、色空間補正回路による補正処理が、画像合成回路による合成処理の前段で行われているが、表示すべき画像によっては画像合成回路の後段で補正処理を行った方が画質を向上できる場合がある。即ち、画像によっては補正処理後に合成処理を行った方が画質を向上できる場合と、合成処理に補正処理後を行った方が画質を向上できる場合とがあり、特許文献１では、補正処理と合成処理の順番が固定されているため、画像によっては十分な効果が得られないこともあり、使い勝手が悪いという問題があった。
【０００６】
本発明は、以上のような技術的課題に鑑みてなされたものである。本発明の幾つかの態様によれば、できるだけ小さい規模で、画像にかかわらず、複数の画像が合成された合成画像の画質を向上させる画像処理装置、画像表示システム、電子機器及び画像処理方法等を提供することができる。
【課題を解決するための手段】
【０００７】
（１）本発明の一態様は、画像処理装置が、画像データに対して所与の画像処理を行う画像処理部と、第１の画像データ及び第２の画像データを用いて画像の合成処理を行う画像合成部とを含み、前記画像処理部は、前記第１の画像データに対する前記画像処理後のデータと前記第２の画像データとを用いた前記合成処理後の合成処理データ、又は前記第１の画像データと前記第２の画像データとを用いた前記合成処理後のデータに対する画像処理後の画像処理データを切り替え出力可能に構成される。
【０００８】
本態様によれば、画像に応じて画像処理の適用順序を変更して画像処理の効果を一部の画像領域、又は画面全体に適用することができるようになり、使い勝手のよい画像処理装置を提供できるようになる。
【０００９】
（２）本発明の他の態様に係る画像処理装置では、前記画像処理部は、前記画像合成部の入力側の１つ、又は前記画像合成部の出力側のいずれかの位置に切り替え挿入可能に構成される。
【００１０】
本態様によれば、１つの画像処理部を備え、該画像処理部の挿入位置を切り替えることで、構成を簡素化し、且つ、規模を大きくすることなく、上記の効果を得ることができるようになる。
【００１１】
（３）本発明の他の態様に係る画像処理装置は、前記合成処理データ又は前記画像処理データを、前記画像処理装置が出力する画像データに対応した垂直同期信号に同期して切り替え出力可能に構成される。
【００１２】
本態様によれば、画像データに基づく表示画像に、画像処理部による画像処理の挿入位置の切り替えに起因する影響を与えることなく、画像処理の効果を画面の一部又は全体に切り替えながら適用できるようになる。
【００１３】
（４）本発明の他の態様に係る画像処理装置は、前記画像処理装置の制御データが設定される第１の制御レジスターと、前記第１の制御レジスターに設定される制御データが、前記垂直同期信号に同期して設定される第２の制御レジスターと、前記第２の制御レジスターに設定される制御データをデコードして前記画像処理装置を制御するデコーダーとを含み、前記デコーダーが出力する制御信号に基づいて、前記合成処理データ又は前記画像処理データを切り替えて出力する。
【００１４】
本態様によれば、簡素な構成で、画像処理装置の制御内容を垂直同期信号に同期して反映させて、上記の効果を得ることができるようになる。
【００１５】
（５）本発明の他の態様に係る画像処理装置は、第１の切り替え制御信号に基づいて、前記第１の画像データに対する前記画像処理後のデータ、又は前記第１の画像データを所与の遅延量だけ遅延させた第１の遅延データを前記画像合成部に出力する第１の選択回路と、第２の切り替え制御信号に基づいて、前記第２の画像データに対する前記画像処理後のデータ、又は前記第２の画像データを前記遅延量だけ遅延させた第２の遅延データを前記画像合成部に出力する第２の選択回路と、第３の切り替え制御信号に基づいて、前記画像合成部の出力に対する前記画像処理後のデータ、又は前記画像合成部の出力を前記遅延量だけ遅延させた第３の遅延データを出力する第３の選択回路とを含み、前記第１の切り替え制御信号、前記第２の切り替え制御信号及び前記第３の切り替え制御信号が互いに同期して変化する。
【００１６】
本態様によれば、選択回路を設けることにより、画像処理部を画像合成部の入力側の１つ、又は出力側のいずれかに配置できるようになり、規模を大きくすることなく、画像に応じて画像処理の適用順序を変更して画像処理の効果を一部の画像領域、又は画面全体に適用することができるようになり、使い勝手のよい画像処理装置を提供できるようになる。
【００１７】
（６）本発明の他の態様に係る画像処理装置では、前記遅延量が、前記画像処理部の遅延量となるように設定されている。
【００１８】
本態様によれば、上記の効果に加えて、各部の出力データの出力タイミングが、別の位置に画像処理回路部が挿入された場合と同様となり、後段での遅延制御を不要にできるようになる。
【００１９】
（７）本発明の他の態様は、画像表示システムが、上記のいずれか記載の画像処理装置と、前記画像処理装置によって供給された画像データに基づいて、画像表示を行う画像表示装置とを含む。
【００２０】
本態様によれば、できるだけ小さい規模で、画像にかかわらず、複数の画像が合成された合成画像の画質を向上させる画像処理装置が適用された画像表示システムを提供できるようになる。
【００２１】
（８）本発明の他の態様に係る画像表示システムは、前記画像処理装置に制御データを設定して前記画像処理装置を制御するホスト装置を含む。
【００２２】
本態様によれば、ホスト装置を内蔵することで低コスト化に寄与し、且つ、できるだけ小さい規模で、画像にかかわらず、複数の画像が合成された合成画像の画質を向上させる画像処理装置が適用された画像表示システムを提供できるようになる。
【００２３】
（９）本発明の他の態様は、電子機器が、上記のいずれか記載の画像処理装置を含む。
【００２４】
本態様によれば、できるだけ小さい規模で、画像にかかわらず、複数の画像が合成された合成画像の画質を向上させる画像処理装置が適用された電子機器を提供できるようになる。
【００２５】
（１０）本発明の他の態様は、画像処理方法が、画像データに対して所与の画像処理を行う画像処理ステップと、第１の画像データ及び第２の画像データを用いて画像の合成処理を行う画像合成ステップとを含み、前記画像処理ステップは、前記第１の画像データに対する前記画像処理後のデータと前記第２の画像データとを用いた前記合成処理後の合成処理データ、又は前記第１の画像データと前記第２の画像データとを用いた前記合成処理後のデータに対する画像処理後の画像処理データを切り替えて出力する。
【００２６】
本態様によれば、画像に応じて画像処理の適用順序を変更して画像処理の効果を一部の画像領域、又は画面全体に適用することができるようになり、使い勝手のよい画像処理方法を提供できるようになる。
【００２７】
（１１）本発明の他の態様は、前記合成処理データ又は前記画像処理データを、前記画像処理装置が出力する画像データに対応した垂直同期信号に同期して切り替えて出力する。
【００２８】
本態様によれば、画像データに基づく表示画像に、画像処理の挿入位置の切り替えに起因する影響を与えることなく、画像処理の効果を画面の一部又は全体に切り替えながら適用できるようになる。
【図面の簡単な説明】
【００２９】
【図１】本発明に係る一実施形態における画像表示システムの構成例のブロック図。
【図２】図１の画像処理装置の構成の概要を示す図。
【図３】画像の合成処理の説明図。
【図４】図４（Ａ）、図４（Ｂ）は本実施形態の比較例の説明図。
【図５】図２の画像合成処理部の構成例の説明図。
【図６】図５の画像合成処理部の構成例のブロック図。
【図７】図６のデコーダーの動作説明図。
【図８】図６の画像合成回路の構成例のブロック図。
【図９】図８の合成回路の構成例のブロック図。
【図１０】本実施形態のＬＣＤＩ／Ｆの構成例のブロック図。
【図１１】画像処理回路の切り替えタイミングの説明図。
【図１２】本実施形態における電子機器としての携帯電話機の構成例のブロック図。
【図１３】図１３（Ａ）、図１３（Ｂ）は本実施形態における画像処理装置又は画像表示システムが適用された電子機器の構成を示す斜視図。
【発明を実施するための形態】
【００３０】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３１】
以下では、本発明に係る画像表示装置として液晶表示装置を例に説明するが、本発明はこれに限定されるものではない。また、以下では、画像処理装置における画像の合成処理において２つの画像を合成する例について説明する。
【００３２】
１．  画像表示システム
図１に、本発明に係る一実施形態における画像表示システムの構成例のブロック図を示す。
【００３３】
本実施形態における画像表示システム１０は、液晶表示装置（広義には、画像表示装置）２０と、画像処理装置（表示コントローラー、画像処理コントローラー、画像供給装置）１００と、ホスト装置２００とを含む。ホスト装置２００は、液晶表示装置２０に表示する２つの画像に対応した画像データ（第１の画像データ、第２の画像データ）を生成し、画像処理装置１００に対して出力する。画像処理装置１００は、ホスト装置２００からの２つの画像の少なくとも１つの画像に対して画像処理を行って、結果的に上記２つの画像を合成した合成画像を生成し、該合成画像の画像データを液晶表示装置２０に供給する。液晶表示装置２０は、画像処理装置１００からの画像データに基づいて２つの画像が合成された合成画像の表示を行う。
【００３４】
ホスト装置２００は、中央演算処理装置（Central Processing Unit：以下、ＣＰＵ）及びメモリーを有し、該メモリーに記憶されたプログラムを読み込んだＣＰＵが、該プログラムに対応した処理を実行することで、例えばコンテンツ画像に対応した画像データを生成する。例えばコンテンツ画像としては、動画や静止画、カメラで撮影した自然画、操作に必要なメニュー画面、アイコンなどの文字・図形情報等がある。また、ホスト装置２００は、制御データを画像処理装置１００の制御レジスターに設定することで、画像処理装置１００を制御することができる。
【００３５】
画像処理装置１００は、合成処理の前又は後に画像処理を切り替えて実施可能に構成されており、ホスト装置２００からの第１の画像データに対する画像処理後のデータと第２の画像データとを用いた合成処理後の合成処理データ、又は第１の画像データと第２の画像データとを用いた合成処理後のデータに対する画像処理後の画像処理データを切り替え出力可能に構成される。即ち、画像処理ステップとして、画像データに対して所与の画像処理を行い、画像合成ステップとして、第１の画像データ及び第２の画像データを用いて画像の合成処理を行う場合に、画像処理ステップは、第１の画像データに対する画像処理後のデータと第２の画像データとを用いた合成処理後の合成処理データ、又は第１の画像データと第２の画像データとを用いた合成処理後のデータに対する画像処理後の画像処理データを切り替えて出力する。また、画像処理装置１００は、画像データ、水平同期信号、垂直同期信号、画素クロックを生成し、液晶表示装置２０に対して出力する。
【００３６】
液晶表示装置２０は、液晶表示パネル３０と、液晶駆動回路４０とを含む。液晶表示パネル３０は、第１のガラス基板及び第２のガラス基板の間に液晶を封入したものである。第１のガラス基板は例えばアクティブマトリクス基板であり、各画素にアクティブ素子である薄膜トランジスター（Thin Film Transistor：以下、ＴＦＴ）が設けられている。各画素のＴＦＴのドレイン端子に透明画素電極が、ソース端子にデータ線であるソース線が、ゲート端子に走査線であるゲート線がそれぞれ接続されている。第１のガラス基板と対向する第２のガラス基板には透明電極が設けられている。第２のガラス基板上には、第１のガラス基板の短辺に沿って、液晶表示パネル３０を駆動する液晶駆動回路４０がＣＯＧ実装されている。液晶駆動回路４０は、液晶表示パネル３０のゲート線に走査信号を、ソース線にデータ信号を供給して液晶表示パネル３０を表示駆動する。
【００３７】
このような構成において、画像処理装置１００では、ホスト装置２００が生成する画像に応じて、１つの画像に対する画像処理後に合成処理を行った合成画像の画像データ、又は合成処理後にまとめて画像処理を行った画像データを生成し、液晶表示装置２０は、これらのいずれかの画像データに基づいて合成画像の表示を行うことができる。これにより、１つの画像処理回路を備えるのみで、回路規模を大きくすることなく、画像に応じて画像処理の適用順序を変更して画像処理の効果を一部の画像領域、又は画面全体に適用することができるようになり、使い勝手のよい画像処理装置を提供できるようになる。
【００３８】
２．  画像処理装置
図２に、図１の画像処理装置１００の構成の概要を示す。
【００３９】
画像処理装置１００は、ホストインターフェース（InterFace：以下、Ｉ／Ｆ）１１０、メモリー１２０、画像合成処理部１３０、ＬＣＤＩ／Ｆ１６０、制御レジスター部１８０を含む。ホストＩ／Ｆ１１０は、ホスト装置２００に接続されたバスを介して入力される画像データ又は制御データに対応する信号の受信インターフェース処理を行う。メモリー１２０は、ホストＩ／Ｆ１１０を介してホスト装置２００から入力された２つの画像の画像データをそれぞれ別の領域に保存する。メモリー１２０は、画像毎に別個に設けられたメモリー素子により構成されていてもよいし、１つのメモリー素子内に２つの画像の画像データを独立に保存するようにしてもよい。
【００４０】
画像合成処理部１３０は、メモリー１２０に保存された２つの画像の画像データの読み出し制御を行い、それぞれ第１の画像データＩＭＧ１、第２の画像データＩＭＧ２として取り込む。そして、画像合成処理部１３０は、第１の画像データＩＭＧ１に対する画像処理後のデータと第２の画像データＩＭＧ２とを用いた合成処理後の合成処理データ、又は第１の画像データＩＭＧ１と第２の画像データＩＭＧ２とを用いた合成処理後のデータに対する画像処理後の画像処理データを切り替えて出力する。この切り替え制御は、制御レジスター部１８０に設定された制御データに基づいて行われる。画像合成処理部１３０から出力される画像データは、出力画像データＩＭＧＯとしてＬＣＤＩ／Ｆ１６０に出力される。
【００４１】
ＬＣＤＩ／Ｆ１６０は、液晶駆動回路４０に接続されたバスを介して入出力される信号の送信インターフェース処理を行う。また、ＬＣＤＩ／Ｆ１６０は、液晶表示装置２０における表示タイミング制御信号を生成し、画像処理装置１００の各部及び液晶表示装置２０に対して出力する。この表示タイミング制御信号としては、表示用の垂直同期信号ＶＳＹＮＣ、表示用の水平同期信号ＨＳＹＮＣ、表示用の画素クロックＤＣＬＫがあり、ＬＣＤＩ／Ｆ１６０は、上記の表示タイミング制御信号と、該表示タイミング制御信号に同期した送信インターフェース処理後の画像データＤを液晶表示装置２０に対して出力する。
【００４２】
制御レジスター部１８０は、画像処理装置１００を制御する複数の制御レジスターを含み、ホストＩ／Ｆ１１０を介してホスト装置２００からの制御データが、対応する制御レジスターに設定される。そして、制御レジスターに設定される制御データに基づいて、画像合成処理部１３０における画像処理及び合成処理の順序が変更される。更に、本実施形態では、ホスト装置２００によって設定される制御データが、ＬＣＤＩ／Ｆ１６０によって生成される表示用の垂直同期信号ＶＳＹＮＣに同期して、対応する制御レジスターに設定される。これにより、垂直同期信号ＶＳＹＮＣに同期して、ホスト装置２００からの制御データに基づく画像処理装置１００の制御が反映されることになる。
【００４３】
ここで、本実施形態における画像の合成処理について説明する。
【００４４】
図３に、画像の合成処理の説明図を示す。
【００４５】
図３では、第１の画像データＩＭＧ１が写真画像の画像データであり、第２の画像データＩＭＧ２がテキスト画像の画像データであるものとする。第１の画像データＩＭＧ１の写真画像を背景画像として、第２の画像データＩＭＧ２のテキスト画像を合成する場合、第２の画像データＩＭＧ２の背景領域をキーカラーとして、該キーカラーに一致する領域に第１の画像データＩＭＧ１の画像データが設定されるように１枚の画像の画像データが生成される。
【００４６】
このような合成処理を行う際に、画像処理を行う必要がある場合、次のようなケースが考えられる。
【００４７】
図４（Ａ）、図４（Ｂ）に、本実施形態の比較例の説明図を示す。図４（Ａ）は、画像の合成処理の前段で第１の画像データＩＭＧ１に対する画像処理が行われる例を表す。図４（Ｂ）は、合成処理の後段で、合成画像の画像データに対する画像処理が行われる例を表す。なお、図４（Ａ）では、第１の画像データＩＭＧ１に対してのみ画像処理を行う例を説明するが、本実施形態はこれに限定されるものではない。
【００４８】
即ち、図４（Ａ）では、第１の画像データＩＭＧ１に対して画像処理回路５００が画像処理を行った画像処理後データが、画像合成回路５１０に入力される。そして、画像合成回路５１０は、画像処理回路５００による画像処理後データと第２の画像データＩＭＧ２とを合成した合成画像データを出力画像データＩＭＧＯとして出力する。
【００４９】
これに対し、図４（Ｂ）では、画像合成回路５２０が、第１の画像データＩＭＧ１と第２の画像データＩＭＧ２とを合成した合成画像データＩＭＧ３を生成する。そして、画像処理回路５３０は、この合成画像データＩＭＧ３に対して画像処理を行い、画像処理後の画像データを出力画像データＩＭＧＯとして出力する。
【００５０】
ところが、回路規模の縮小等を目的として画像処理回路が１つの構成を採用した場合、図４（Ａ）のケースでは、第１の画像データＩＭＧ１の画像である写真画像に対してのみ画像処理の効果が現れ、第２の画像データＩＭＧ２の画像であるテキスト画像には画像処理の効果が現れることがない。一方、図４（Ｂ）のケースでは、第１の画像データＩＭＧ１の画像である写真画像と第２の画像データＩＭＧ２の画像であるテキスト画像との両方に、画像処理の効果が現れることになる。そのため、図４（Ａ）、図４（Ｂ）のそれぞれのケースに固定されてしまい、合成対象の画像の組み合わせによっては、別のケースで画像の合成を行った方が合成画像の画質を向上させることができる場合がある。
【００５１】
そこで、本実施形態では、合成処理の前又は後に画像処理を切り替えて実施可能とする構成を採用し、合成対象の画像に応じて画像処理の効果を画面の一部又は全部に適用できるようにしている。
【００５２】
図５に、図２の画像合成処理部１３０の構成例の説明図を示す。図５において、図２と同一部分には同一符号を付し、適宜説明を省略する。なお、図５では、ＬＣＤＩ／Ｆ１６０の他に、図２において図示しない切り替え制御回路１４０もあわせて示している。
【００５３】
画像合成処理部１３０は、画像データに対して所与の画像処理を行う画像処理回路（広義には、画像処理部。図５では図示せず）１３２と、第１の画像データＩＭＧ１及び第２の画像データＩＭＧ２を用いて画像の合成処理を行う画像合成回路１３４とを含む。ここで、画像処理回路１３２が行う画像処理としては、画像の拡大処理及び縮小処理、シャープネス処理、色補正処理等があり、公知の処理を採用できる。そして、画像合成処理部１３０は、画像処理回路１３２を、画像合成回路１３４の入力側の１つ（図５の位置１３２１又は位置１３２２）、又は画像合成回路１３４の出力側（図５の位置１３２３）のいずれかの位置に切り替え挿入可能に構成されることで、第１の画像データＩＭＧ１に対する画像処理後のデータと第２の画像データＩＭＧ２とを用いた合成処理後の合成処理データ、又は第１の画像データＩＭＧ１と第２の画像データＩＭＧ２とを用いた合成処理後のデータに対する画像処理後の画像処理データを切り替えて出力する。
【００５４】
このとき、切り替え制御回路１４０は、図２の制御レジスター部１８０の一部の機能も有し、ＬＣＤＩ／Ｆ１６０からの表示用に垂直同期信号ＶＳＹＮＣに同期して、画像処理回路１３２を、画像合成回路１３４の入力側の１つ（１３２１又は１３２２）、又は画像合成回路１３４の出力側（１３２３）のいずれかの位置に切り替え挿入できるようにしている。このため、液晶表示装置２０が表示する画像に、画像処理回路１３２の挿入位置の切り替えに起因する影響を与えることなく、画像処理の効果を画面の一部又は全体に切り替えながら適用できるようになる。
【００５５】
次に、本実施形態における画像処理装置１００の構成の要部について説明する。
【００５６】
図６に、図５の画像合成処理部１３０の構成例のブロック図を示す。図６において、図５と同一部分には同一符号を付し、適宜説明を省略する。また、図６には、図２の制御レジスター部１８０と、図５では図示しないデコーダーもあわせて図示している。
【００５７】
画像合成処理部１３０は、画像処理回路１３２、画像合成回路１３４の他に、第１のマルチプレクサーＭＵＬ１（第１の選択回路）、第２マルチプレクサーＭＵＬ２（第２の選択回路）、第３のマルチプレクサーＭＵＬ３（第３の選択回路）、第４のマルチプレクサーＭＵＬ４（第４の選択回路）、デマルチプレクサーＤＭＵＬ（分配回路）、第１の遅延回路ＤＬ１、第２の遅延回路ＤＬ２、第３の遅延回路ＤＬ３を含む。第１のマルチプレクサーＭＵＬ１、第２のマルチプレクサーＭＵＬ２、及び第３のマルチプレクサーＭＵＬ３は、２入力１出力の選択回路であり、それぞれ切り替え制御信号Ｓ１（第１の切り替え制御信号）、Ｓ２（第２の切り替え制御信号）、Ｓ３（第３の切り替え制御信号）により切り替え制御が行われる。第４のマルチプレクサーＭＵＬ４は、３入力１出力の選択回路であり、切り替え制御信号Ｓ４により切り替え制御が行われる。デマルチプレクサーＤＭＵＬは、１入力３出力の分配回路であり、切り替え制御信号Ｓ５により切り替え制御が行われる。第１の遅延回路ＤＬ１、第２の遅延回路ＤＬ２、及び第３の遅延回路ＤＬ３は、それぞれ同様の構成を有し、同じ遅延量（遅延時間）だけ入力信号を遅延させて出力信号を出力する。各遅延回路の遅延量は、画像処理回路１３２の遅延量ｄｔである。
【００５８】
第１のマルチプレクサーＭＵＬ１には、デマルチプレクサーＤＭＵＬの出力ａと第１の遅延回路ＤＬ１の出力とが入力され、その出力データが画像合成回路１３４に入力される。第２のマルチプレクサーＭＵＬ２には、デマルチプレクサーＤＭＵＬの出力ｂと第２の遅延回路ＤＬ２の出力とが入力され、その出力データが画像合成回路１３４に入力される。第３のマルチプレクサーＭＵＬ３には、デマルチプレクサーＤＭＵＬの出力ｃと第３の遅延回路ＤＬ３の出力とが入力され、その出力データが出力画像データＩＭＧＯとしてＬＣＤＩ／Ｆ１６０に対して出力される。
【００５９】
第４のマルチプレクサーＭＵＬ４には、第１の画像データＩＭＧ１と第２の画像データＩＭＧ２と画像合成回路１３４が出力する合成画像データＩＭＧ３とが入力され、その出力データが画像処理回路１３２に入力される。デマルチプレクサーＤＭＵＬには、画像処理回路１３２の出力データが入力され、出力ａからの出力データが第１のマルチプレクサーＭＵＬ１の入力ａ、出力ｂからの出力データが第２のマルチプレクサーＭＵＬ２の入力ａ、出力ｃからの出力データが第３のマルチプレクサーＭＵＬ３の入力ａにそれぞれ入力される。
【００６０】
第１の遅延回路ＤＬ１は、第１の画像データＩＭＧ１を、画像処理回路１３２の遅延量ｄｔだけ遅延させた第１の遅延データを生成し、第１の遅延データを第１のマルチプレクサーＭＵＬ２の入力ｂに対して出力する。画像処理回路１３２が所与のクロックに同期して動作する場合、第１の遅延回路ＤＬ１は、遅延量ｄｔに相当するクロック数だけ第１の画像データＩＭＧ１を遅延させる。
【００６１】
第２の遅延回路ＤＬ２は、第２の画像データＩＭＧ２を、画像処理回路１３２の遅延量ｄｔだけ遅延させた第２の遅延データを生成し、第２の遅延データを第２のマルチプレクサーＭＵＬ２の入力ｂに対して出力する。画像処理回路１３２が所与のクロックに同期して動作する場合、第２の遅延回路ＤＬ２は、遅延量ｄｔに相当するクロック数だけ第２の画像データＩＭＧ２を遅延させる。
【００６２】
第３の遅延回路ＤＬ３は、画像合成回路１３４が出力する合成画像データＩＭＧ３を、画像処理回路１３２の遅延量ｄｔだけ遅延させた第３の遅延データを生成し、第３の遅延データを第３のマルチプレクサーＭＵＬ３の入力ｂに対して出力する。画像処理回路１３２が所与のクロックに同期して動作する場合、第３の遅延回路ＤＬ３は、遅延量ｄｔに相当するクロック数だけ合成画像データＩＭＧ３を遅延させる。
【００６３】
図６において、デコーダー１４２は、図５の切り替え制御回路１４０の機能を有し、ホスト装置２００によって制御レジスター部１８０に設定された制御データに基づいて、切り替え制御信号Ｓ１、Ｓ２、Ｓ３、Ｓ４、Ｓ５を出力する。
【００６４】
図７に、図６のデコーダー１４２の動作説明図を示す。図７は、画像処理回路１３２により第１の画像データＩＭＧ１に対して画像処理を行う場合にデコーダー１４２が出力する切り替え制御信号Ｓ１〜Ｓ５、画像処理回路１３２により第２の画像データＩＭＧ２に対して画像処理を行う場合にデコーダー１４２が出力する切り替え制御信号Ｓ１〜Ｓ５、画像処理回路１３２により画像合成回路１３４の出力データに対して画像処理を行う場合にデコーダー１４２が出力する切り替え制御信号Ｓ１〜Ｓ５を表す。
【００６５】
第１の画像データＩＭＧ１に対して画像処理回路１３２による画像処理を行う場合、第４のマルチプレクサーＭＵＬ４が入力ａ、デマルチプレクサーＤＭＵＬが出力ａ、第１のマルチプレクサーＭＵＬ１が入力ａ、第２のマルチプレクサーＭＵＬ２が入力ｂ、第３のマルチプレクサーＭＵＬ３が入力ｂをそれぞれ選択するように、デコーダー１４２は、切り替え制御信号Ｓ１〜Ｓ５を生成する。これにより、第１のマルチプレクサーＭＵＬ１は、画像処理回路１３２による画像処理後の画像データを選択出力し、第２のマルチプレクサーＭＵＬ２及び第３のマルチプレクサーＭＵＬ３は、それぞれ遅延データを選択出力し、第１の画像データＩＭＧ１に対する画像処理後のデータと第２の画像データＩＭＧ２とを合成した画像の画像データが出力画像データＩＭＧＯとして出力される。
【００６６】
このとき、第２のマルチプレクサーＭＵＬ２及び第３のマルチプレクサーＭＵＬ３が、それぞれ遅延データを選択出力するため、出力画像データＩＭＧＯの出力タイミングは図６の別の位置に画像処理回路１３２が挿入された場合と同様となり、後段での遅延制御を不要にできる。
【００６７】
第２の画像データＩＭＧ２に対して画像処理回路１３２による画像処理を行う場合、第４のマルチプレクサーＭＵＬ４が入力ｂ、デマルチプレクサーＤＭＵＬが出力ｂ、第１のマルチプレクサーＭＵＬ１が入力ｂ、第２のマルチプレクサーＭＵＬ２が入力ａ、第３のマルチプレクサーＭＵＬ３が入力ｂをそれぞれ選択するように、デコーダー１４２は、切り替え制御信号Ｓ１〜Ｓ５を生成する。これにより、第２のマルチプレクサーＭＵＬ２は、画像処理回路１３２による画像処理後の画像データを選択出力し、第１のマルチプレクサーＭＵＬ１及び第３のマルチプレクサーＭＵＬ３は、それぞれ遅延データを選択出力し、第２の画像データＩＭＧ２に対する画像処理後のデータと第１の画像データＩＭＧ１とを合成した画像の画像データが出力画像データＩＭＧＯとして出力される。
【００６８】
このとき、第１のマルチプレクサーＭＵＬ１及び第３のマルチプレクサーＭＵＬ３が、それぞれ遅延データを選択出力するため、出力画像データＩＭＧＯの出力タイミングは図６の別の位置に画像処理回路１３２が挿入された場合と同様となり、後段での遅延制御を不要にできる。
【００６９】
画像合成回路１３４が出力する合成画像データＩＭＧ３に対して画像処理回路１３２による画像処理を行う場合、第４のマルチプレクサーＭＵＬ４が入力ｃ、デマルチプレクサーＤＭＵＬが出力ｃ、第１のマルチプレクサーＭＵＬ１が入力ｂ、第２のマルチプレクサーＭＵＬ２が入力ｂ、第３のマルチプレクサーＭＵＬ３が入力ａをそれぞれ選択するように、デコーダー１４２は、切り替え制御信号Ｓ１〜Ｓ５を生成する。これにより、第３のマルチプレクサーＭＵＬ３は、画像処理回路１３２による画像処理後の画像データを選択出力し、第１のマルチプレクサーＭＵＬ１及び第２のマルチプレクサーＭＵＬ２は、それぞれ遅延データを選択出力し、第１の画像データＩＭＧ１と第２の画像データＩＭＧ２とを合成した画像の画像データに対して画像処理を行ったデータが出力画像データＩＭＧＯとして出力される。
【００７０】
このとき、第１のマルチプレクサーＭＵＬ１及び第２のマルチプレクサーＭＵＬ２が、それぞれ遅延データを選択出力するため、出力画像データＩＭＧＯの出力タイミングは図６の別の位置に画像処理回路１３２が挿入された場合と同様となり、後段での遅延制御を不要にできる。
【００７１】
次に、図６の画像合成回路１３４について説明する。
【００７２】
図８に、図６の画像合成回路１３４の構成例のブロック図を示す。なお、画像合成回路１３４の構成は図８に示すものに限定されるものではない。なお、図８では、例えば制御レジスター部１８０が内蔵するキーカラーレジスター１８６もあわせて図示ししている。
【００７３】
画像合成回路１３４は、キーカラー比較回路１９０、合成回路１９２を含む。制御レジスター部１８０が内蔵するキーカラーレジスター１８６には、ホスト装置２００によってキーカラー１８７及び透過率１８８が設定される。キーカラー１８７は、例えば背景画像に設定する階調値に対応した画素値として設定される。キーカラー比較回路１９０は、キーカラーレジスター１８６に設定されたキーカラー１８７と第２のマルチプレクサーＭＵＬ２の選択出力データとを画素単位で比較し、その結果を一致検出信号として画素毎に合成回路１９２に対して出力する。
【００７４】
キーカラーレジスター１８６に設定された透過率１８８は、合成回路１９２に入力される。合成回路１９２は、一致検出信号に基づいて一致が検出された画素については透過率１８８に基づいて第１のマルチプレクサーＭＵＬ１の選択出力データと第２のマルチプレクサーＭＵＬ２の選択出力データとを合成し、出力画像データＩＭＧＯとして出力する。また、合成回路１９２は、一致検出信号に基づいて不一致が検出された画素については、予め決められた上書き順序に従って、第１のマルチプレクサーＭＵＬ１の選択出力データと第２のマルチプレクサーＭＵＬ２の選択出力データとを合成し、出力画像データＩＭＧＯとして出力する。
【００７５】
図９に、図８の合成回路１９２の構成例のブロック図を示す。なお、合成回路１９２の構成は図９に示すものに限定されるものではない。なお、図９では、例えば制御レジスター部１８０が内蔵するキーカラーレジスター１８６もあわせて図示ししている。
【００７６】
合成回路１９２は、第１の乗算器１９４、第２の乗算器１９６、加算器１９８を含む。第１の乗算器１９４には、第１のマルチプレクサーＭＵＬ１の選択出力データ、一致検出信号、及びキーカラーレジスター１８６に設定された透過率ｇが入力される。そして、第１の乗算器１９４は、一致検出信号により一致が検出されたときには、透過率を第１のマルチプレクサーＭＵＬ１の選択出力データに乗算して、その乗算結果を出力する。また、第１の乗算器１９４は、一致検出信号により一致が検出されたときには、透過率を「０」に設定して、その透過率を第１のマルチプレクサーＭＵＬ１の選択出力データに乗算して、その乗算結果を出力する。
【００７７】
同様に、第２の乗算器１９６には、第２のマルチプレクサーＭＵＬ２の選択出力データ、一致検出信号、及びキーカラーレジスター１８６に設定された透過率ｇが入力される。そして、第２の乗算器１９６は、一致検出信号により一致が検出されたときには、透過率を（１−ｇ）とし、その透過率を第２のマルチプレクサーＭＵＬ２の選択出力データに乗算して、その乗算結果を出力する。また、第２の乗算器１９６は、一致検出信号により一致が検出されたときには、透過率を「１」に設定して、その透過率を第２のマルチプレクサーＭＵＬ２の選択出力データに乗算して、その乗算結果を出力する。
【００７８】
加算器１９８は、第１の乗算器１９４の乗算結果と第２の乗算器１９６の乗算結果とを加算し、加算結果を出力画像データＩＭＧＯとして出力する。
【００７９】
これにより、合成回路１９２は、第１のマルチプレクサーＭＵＬ１の選択出力データをＤ１、第２のマルチプレクサーＭＵＬ２の選択出力データをＤ２とすると、次のような式により画素単位で合成画像の出力画像データＩＭＧＯを生成することができる。
ＩＭＧＯ＝Ｄ１×ｇ＋Ｄ２×（１−ｇ）
【００８０】
また、本実施形態において、制御レジスター部１８０は、第１の制御レジスター１８２と、第２の制御レジスター１８４とを含む。第１の制御レジスター１８２には、ホスト装置２００からの制御データが、ホストＩ／Ｆ１１０を介して設定される。第２の制御レジスター１８４は、第１の制御レジスター１８２に設定される制御データが、表示用の垂直同期信号ＶＳＹＮＣに同期して設定される。そして、デコーダー１４２は、第２の制御レジスター１８４に設定される制御データをデコードして切り替え制御信号Ｓ１〜Ｓ５を生成する。
【００８１】
図１０に、制御レジスター部１８０に表示用の垂直同期信号ＶＳＹＮＣを出力するＬＣＤＩ／Ｆ１６０の構成例のブロック図を示す。
【００８２】
ＬＣＤＩ／Ｆ１６０は、タイミング生成回路１６２、垂直同期信号生成回路１６４、水平同期信号生成回路１６６、画素クロック生成回路１６８、画像データＩ／Ｆ回路１７０を含む。タイミング生成回路１６２は、表示タイミング制御信号を生成するための基本クロックＢＣＬＫを生成する。垂直同期信号生成回路１６４は、基本クロックＢＣＬＫに基づいて垂直同期信号ＶＳＹＮＣを生成する。水平同期信号生成回路１６６は、基本クロックＢＣＬＫに基づいて水平同期信号ＨＳＹＮＣを生成する。画素クロック生成回路１６８は、基本クロックＢＣＬＫに基づいて画素クロックＤＣＬＫを生成する。画像データＩ／Ｆ回路１７０は、画像合成処理部１３０からの出力画像データＩＭＧＯに対して画素クロックＤＣＬＫで同期化して液晶表示装置２０への送信インターフェース処理を行う。
【００８３】
例えば図１０に示す垂直同期信号ＶＳＹＮＣ、水平同期信号ＨＳＹＮＣ、及び画素クロックＤＣＬＫが、表示タイミング制御信号として液晶表示装置２０に対して出力される。
【００８４】
ところで、図１０の垂直同期信号生成回路１６４によって生成された垂直同期信号ＶＳＹＮＣが、制御レジスター部１８０の第２の制御レジスター１８４に入力される。このため、デコーダー１４２は、垂直同期信号ＶＳＹＮＣに同期して、切り替え制御信号Ｓ１〜Ｓ５を変化させることになる。
【００８５】
図１１に、画像処理回路１３２の切り替えタイミングの説明図を示す。図１１は、横軸を時間軸とし、表示用の垂直同期信号ＶＳＹＮＣ、第１の制御レジスター１８２の設定内容、第２の制御レジスター１８４の設定内容、画像処理回路１３２の挿入位置を模式的に表す。
【００８６】
例えば、表示用の垂直同期信号ＶＳＹＮＣにより規定される第１の垂直走査期間Ｖ１にまたがってホスト装置２００が第１の制御レジスター１８２に制御データを設定していても、直ぐに第２の制御レジスター１８４に反映されず、次の垂直同期信号ＶＳＹＮＣに同期して反映される。デコーダー１４２は、第２の制御レジスター１８４に設定される制御データに基づいて切り替え制御信号Ｓ１〜Ｓ５を生成するため、切り替え制御信号Ｓ１〜Ｓ５は、第１の垂直走査期間Ｖ１の次の第２の垂直走査期間Ｖ２（或いは、回路構成上、次の第３の垂直走査期間Ｖ３）に変化する。従って、画像表示期間中であっても、例えば第１の垂直走査期間Ｖ１において、画像処理回路１３２が図５の位置１３２１に挿入されている場合、第２の垂直走査期間Ｖ２（又は第３の垂直走査期間Ｖ３）において画像処理回路１３２が図５の位置１３２３に切り替えられる。
【００８７】
このように本実施形態では、垂直同期信号ＶＳＹＮＣに同期して画像処理回路１３２の挿入位置を画像表示中に切り替えることができ、液晶表示装置２０が表示する画像に影響を与えることなく、画像処理の効果を画面の一部又は全体に切り替えながら適用できるようになる。
【００８８】
３．  電子機器
本実施形態における画像処理装置１００、又は画像処理装置１００を含む画像表示システム１０は、例えば次のような電子機器に適用することができる。
【００８９】
図１２に、本実施形態における電子機器としての携帯電話機の構成例のブロック図を示す。図１２において、図１と同一部分には同一符号を付し、適宜説明を省略する。
【００９０】
携帯電話機８００は、カメラモジュール８１０を含む。カメラモジュール８１０は、ＣＣＤカメラを含み、ＣＣＤカメラで撮像した画像のデータを画像処理装置１００に供給する。
【００９１】
また、携帯電話機８００は、液晶表示パネル３０を含む。液晶表示パネル３０は、液晶駆動回路４０によって駆動される。液晶表示パネル３０は、複数のゲート線、複数のソース線、複数の画素を含む。液晶駆動回路４０は、ゲートドライバ４２、ソースドライバ４４及び電源回路４６を含む。ゲートドライバ４２は、液晶表示パネル３０の複数のゲート線を走査する。ソースドライバ４４は、液晶表示パネル３０の複数のソース線を、画像データに基づいて駆動する。電源回路４６は、ゲートドライバ４２、ソースドライバ４４及び液晶表示パネル３０の電圧を生成する。電源回路４６は、ソースドライバ４４及びゲートドライバ４２に接続され、各ドライバに対して、駆動用の電源電圧を供給する。また電源回路４６は、液晶表示パネル３０の対向電極に、対向電極電圧Ｖｃｏｍを供給する。
【００９２】
画像処理装置１００は、液晶駆動回路４０に接続され、ソースドライバ４４に対して上記の画像処理及び合成処理が行われたＲＧＢフォーマットの画像データを供給する。
【００９３】
ホスト装置２００は、画像処理装置１００に接続され、画像処理装置１００を制御する。またホスト装置２００は、アンテナ８６０を介して受信された画像データを、変復調部８５０で復調した後、画像処理装置１００に供給できる。画像処理装置１００は、この画像データに基づき、ソースドライバ４４及びゲートドライバ４２により液晶表示パネル３０に表示させる。また、ホスト装置２００は、カメラモジュール８１０で生成された画像データを変復調部８５０で変調した後、アンテナ８６０を介して他の通信装置への送信を指示できる。更に、ホスト装置２００は、操作入力部８７０からの操作情報に基づいて画像データの送受信処理、カメラモジュール８１０の撮像、液晶表示パネル３０の表示処理を行う。
【００９４】
図１３（Ａ）、図１３（Ｂ）に、本実施形態における画像処理装置１００又は画像表示システム１０が適用された電子機器の構成を示す斜視図を示す。図１３（Ａ）は、図１２の携帯電話機の構成の斜視図を表す。図１３（Ｂ）は、モバイル型のパーソナルコンピューターの構成の斜視図を表す。図１３（Ａ）において、図１２と同一部分には同一符号を付し、適宜説明を省略する。
【００９５】
図１３（Ａ）に示す携帯電話機８００は、本体部８８０と、表示部８９０とを含む。表示部８９０として、本実施形態における画像表示システム１０の液晶表示パネル３０が実装される。本体部８８０は、画像表示システム１０のうちホスト装置２００を含み、この本体部８８０には操作入力部８７０としてキーボードが設けられる。即ち、携帯電話機８００は、少なくとも上記の実施形態における画像処理装置１００を含んで構成される。キーボードを介した操作情報がホスト装置２００によって解析され、その操作情報に応じて表示部８９０に画像が表示される。本実施形態によれば、この表示部８９０の画質に影響を与えることなく、画像処理の効果を画面の一部又は全体に切り替えながら適用できるようになる。
【００９６】
図１３（Ｂ）に示すパーソナルコンピューター９００は、本体部９１０と、表示部９２０とを含む。表示部９２０として、本実施形態における画像表示システム１０の液晶表示パネル３０が実装される。本体部９１０は、画像表示システム１０のうちホスト装置２００を含み、この本体部９１０にはキーボード９３０が設けられる。即ち、パーソナルコンピューター９００は、少なくとも上記の実施形態における画像処理装置１００を含んで構成される。キーボード９３０を介した操作情報がホスト装置２００によって解析され、その操作情報に応じて表示部９２０に画像が表示される。本実施形態によれば、この表示部９２０の画質に影響を与えることなく、画像処理の効果を画面の一部又は全体に切り替えながら適用できるようになる。
【００９７】
なお、本実施形態における画像処理装置１００又は画像表示システム１０が適用された電子機器として、図１３（Ａ）、図１３（Ｂ）に示すものに限定されるものではなく、情報携帯端末（ＰＤＡ：Personal Digital Assistants）、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ（Point of sale system）端末、プリンター、スキャナー、複写機、ビデオプレーヤー、タッチパネルを備えた機器等が挙げられる。
【００９８】
以上、本発明に係る画像処理装置、画像表示システム、電子機器及び画像処理方法等を上記の実施形態に基づいて説明したが、本発明は上記の実施形態に限定されるものではなく、その要旨を逸脱しない範囲において種々の態様において実施することが可能であり、例えば次のような変形も可能である。
【００９９】
（１）本実施形態では、液晶表示装置に画像データを供給する画像処理装置を例に説明したが、本発明はこれに限定されるものではない。本実施形態における画像処理装置が、有機ＥＬ表示装置やＣＲＴ（Cathode-Ray Tube）等の表示装置や画像投影装置に画像データを供給するようにしてもよい。
【０１００】
（２）本実施形態では、画像処理装置１００が液晶表示装置２０及びホスト装置２００の外部に設けられていたが、本発明はこれに限定されるものではない。本実施形態における画像処理装置１００が、液晶表示装置２０又はホスト装置２００に内蔵されていてもよい。
【０１０１】
（３）本実施形態では、画像処理装置における画像の合成処理において２つの画像を合成する例について説明するが、本発明は合成処理対象の画像数に限定されるものではなく、３以上の画像について合成処理を行う場合にも適用できる。
【０１０２】
（４）本実施形態において、本発明を、画像処理装置、画像表示システム、電子機器及び画像処理方法等として説明したが、本発明はこれに限定されるものではない。例えば、上記の画像処理方法の処理手順が記述されたプログラムや、該プログラムが記録された記録媒体であってもよい。
【符号の説明】
【０１０３】
１０…画像表示システム、  ２０…液晶表示装置、  ３０…液晶表示パネル、
４０…液晶駆動回路、  １００…画像処理装置、  １１０…ホストＩ／Ｆ、
１２０…メモリー、  １３０…画像合成処理部、
１３２，５００，５３０…画像処理回路、  １３４，５１０，５２０…画像合成回路、
１４０…切替制御回路、  １４２…デコーダー、  １６０…ＬＣＤＩ／Ｆ、
１６２…タイミング生成回路、  １６４…垂直同期信号生成回路、
１６６…水平同期信号生成回路、  １６８…画素クロック生成回路、
１７０…画像データＩ／Ｆ回路、  １８０…制御レジスター部、
１８２…第１の制御レジスター、  １８４…第２の制御レジスター、
１８６…キーカラーレジスター、  １８７…キーカラー、  １８８…透過率、
１９０…キーカラー比較回路、  １９２…合成回路、  １９４…第１の乗算器、
１９６…第２の乗算器、  １９８…加算器、  ２００…ホスト装置、
８００…携帯電話機、  ８１０…カメラモジュール、  ８５０…変復調部、
８６０…アンテナ、  ８７０…操作入力部、  ８８０，９１０…本体部、
８９０，９２０…表示部、  ９００…パーソナルコンピューター、
９３０…キーボード、  ＤＬ１…第１の遅延回路、  ＤＬ２…第２の遅延回路、
ＤＬ３…第３の遅延回路、  ＤＬ４…第４の遅延回路、
ＤＭＵＬ…デマルチプレクサー、  ＩＭＧ１…第１の画像データ、
ＩＭＧ２…第２の画像データ、  ＩＭＧＯ…出力画像データ、
ＭＵＬ１…第１のマルチプレクサー、  ＭＵＬ２…第２のマルチプレクサー、
ＭＵＬ３…第３のマルチプレクサー、  ＭＵＬ４…第４のマルチプレクサー、
Ｓ１〜Ｓ５…切替制御信号、  ＶＳＹＮＣ…垂直同期信号
【図１】
2011048046.tif 000003
【図２】
2011048046.tif 000004
【図４】
2011048046.tif 000005
【図５】
2011048046.tif 000006
【図６】
2011048046.tif 000007
【図７】
2011048046.tif 000008
【図８】
2011048046.tif 000009
【図９】
2011048046.tif 000010
【図１０】
2011048046.tif 000011
【図１１】
2011048046.tif 000012
【図１２】
2011048046.tif 000013
【図１３】
2011048046.tif 000014
【図３】
2011048046.tif 000015